(57)【特許請求の範囲】
【請求項１】
テープを斜めに巻き付けて案内する固定ドラムと、
ヘッドを取り付け、回転軸を中心に回動する回転ドラムと、
前記回転ドラムを支承する軸受け部とを備えた回転ヘッドドラム装置であって、
回転自在の固定部の一端に第１のばねかけが設けられており前記回転軸の一端を支持する調整用軸受けと、
複数の第２のばねかけが設けられており前記調整用軸受けに側圧をかける軸垂調整部材と、
一端が前記第１のばねかけに取り付けられ他端が側圧をかけたい方向の前記複数の第２のばねかけのうちのいずれか１つに取り付けられた弾性部材から成る軸垂調整手段とを有し、
前記複数の第２のばねかけは前記軸垂調整部材の円周上に設けられている回転ヘッドドラム装置。
【請求項２】
前記弾性部材は、コイルばねより成る請求項１に記載の回転ヘッドドラム装置。
【発明の詳細な説明】
【０００１】
【産業上の利用分野】
本発明は、高密度の記録再生を行うディジタルＶＴＲ等に適用して好適な回転ヘッドドラム装置に関する。
【０００２】
【従来の技術】
ＶＴＲの高密度記録は、短波長記録と狭トラック化にあり、狭トラック化は記録パターンの直線性精度に支配される。直線性を阻害する主な要因として、回転ドラム上のヘッドの回転軌跡に対する、固定ドラムのリード（テープを斜めに案内するため外周部に設けられる）の加工精度がある。
【０００３】
従って、回転ヘッドドラム装置を組立後、回転軸を基準にリード部を修正加工する方法が採られている。
【０００４】
しかし、ディジタルＶＴＲにおいては、回転ドラムを高速で回転させるため、ヘッドの回転軌跡は静的な状態から微少に変化する。従って、機械的精度のみでは、確保出来る直線性精度に限界がある。
【０００５】
また、ヘッドを圧電素子等のアクチュエーターに取り付け、回転中のヘッドの絶対高さを制御する方法が提案されている。しかし、再生時に記録パターンをトレースする場合は実現されているが、記録時に高精度に直線性を維持することは実現されていない。
【０００６】
なお、直線性の調整方法として、特開平２−１２６４５８号公報に開示された技術がある。この方法は、互いにアジマス角の異なる一対のヘッドが信号を再生する際、トラックずれによって生ずるアジマス時間差を利用して直線性の評価と調整を行うものである。この方法は直線性の測定精度が高いことと、リアルタイムで直線性をディスプレイに表示し、直線性の評価が出来ることの特徴を有する。
【０００７】
【発明が解決しようとする課題】
前述のごとく機械的精度のみでは、確保出来る直線性精度に限界がある。また固定ドラムのリード部はテープ走行によって、テープのエッジで部分的に磨耗し、長時間の使用で記録パターンの直線性が劣化する。
【０００８】
本発明は上記問題を解決するもので、機械的精度のみでは実現し得なかった直線性精度の向上と、リードの磨耗によって劣化する直線性精度を補正することによる回転ヘッドドラム装置の長寿命化とを実現できる回転ヘッドドラム装置を提供することを目的とする。
【０００９】
【課題を解決するための手段】
本発明は上記目的を達成するために、回転軸の一端を支持する調整用軸受けと、調整用軸受けに側圧をかける軸垂調整部材と、調整用軸受けと軸垂調整部材との間に介在する弾性部材とから成る軸垂調整手段を備えたものである。
【００１０】
【作用】
直線性調整用マスターテープを走行させ、ヘッドで信号を再生しながら、テープが固定ドラムのリードに沿うよう、走行ポストを調整する。この調整によって所定に直線性精度が得られない場合、直線性のずれを確認しながら軸垂調整部材を任意の方向に調整し、直線性精度が所定の精度に入る位置を探し、その位置で軸垂調整部材を固定する。以上の操作により通常の調整では達成出来なかった直線性精度を得ることが出来る。
【００１１】
【実施例】
以下、本発明の一実施例について、図面を参照しながら説明する。
【００１２】
図１は、本発明の第１の実施例における回転ヘッドドラム装置の断面図、図２は、その上面図である。
【００１３】
図１、図２において、ヘッド１０を取り付けた回転ドラム２２は、回転軸２０に固着されたディスク２４に取り付けられている。回転軸２０はボールベアリング２６および固定ドラム６０の軸受け６４により支持され、予圧ボス２８によりボールベアリング２６に予圧が付加されている。
【００１４】
固定ドラム６０の下端にはモーターのステータス部６６が取り付けられ、ローター部６８は予圧ボス２８に取り付けられている。
【００１５】
固定ドラム６０の外周部にはリード６２が形成され、磁気テープ８０を斜めに、かつ略１８０度巻き付けて案内する。上部固定ドラム７０は連結ブロック７２によって、回転ドラム２２の上方に固定されている。信号を伝達するロータリートランス７４はディスク２４および固定ドラム６０に取り付けられている。
【００１６】
以上は、通常公知の回転ヘッドドラム装置と同様である。
本実施例においては更に、回転軸２０の上端部に調整用軸受け３０が回転軸２０と同心にディスク２４に取り付けられている。調整用軸受け３０は回転部３２、ボールベアリング３４、固定部３６より構成される。なお図示していないが、調整用軸受け３０の回転側が回転した時、固定部３６の共回りを防止するストッパーを設けている。一方、軸垂調整部材４０は、上部固定ドラム７０に任意の方向に調整可能に調整ビス３８で取り付けられている。調整用軸受け３０の固定部３６の外周にはリング状の弾性部材５０が取り付けられ、軸垂調整部材４０の内周部と接触している。弾性部材５０は中空のゴム材料より成り圧縮ばねの作用を有している。
【００１７】
上記調整用軸受け３０、軸垂調整部材４０、弾性部材５０によって軸垂調整手段を構成する。
【００１８】
回転ヘッド１０の一構成例を詳述すると、図３において、ヘッドベース１６に取り付けられた記録ヘッド１２と、圧電アクチュエーター１８に取り付けられた再生ヘッド１４とよりなる。記録ヘッド１２は互いにアジマス角が正逆一対のヘッド１２Ａと１２Ｂで構成され、再生ヘッド１４も同様に１４Ａと１４Ｂよりなり、同時に２つのヘッドで記録再生が可能な構成となっている。
【００１９】
以上が第１の実施例の構成であり、以下に動作を述べる。直線性調整用マスターテープを走行させ、記録ヘッド１２で信号を再生しながら走行調整、即ち直線性の調整を行う。この時、従来の技術で説明したように、トラックずれにより生ずるアジマス時間差を利用した直線性の調整方法を用いると更に便利である。
【００２０】
磁気テープ８０が固定ドラム６０のリード６２に沿って走行するよう、走行ポスト７６、７８を調整し、直線性調整用のディスプレイ表示を見ながら更に微調を行うのは従来と同様の操作である。
【００２１】
ちなみにディスプレイ表示の例を図４に示す。横軸はテープの入側０度位置から出側１８０度位置までを示し、縦軸は直線性のずれを示す。
【００２２】
以上の調整によってもなお所定の直線性が得られない場合に、以下の操作を行う。
【００２３】
直線性を示す「うねり」、「傾き」などディスプレイ表示を見ながら軸垂調整部材４０を任意の方向に微調し、直線性表示が所定の値に入る位置を探し、その位置で軸垂調整部材４０の調整ビス３８を固定する。
【００２４】
テープを長時間走行させると、テープエッジによって固定ドラムのリード部が磨耗するが、磨耗の度合いは均一でなく入側が磨耗しやすく、入側（走行ポスト７６の側）から３０度にかけて部分的な直線性の劣化が生じるのが一般的傾向である。この様な現象が生じた場合、３０度位置の接線に対して平行方向、即ち１２０度の位置から３００度の位置の方向に側圧をかけることにより、リードの磨耗によって生ずる直線性の劣化を補正することが出来る。従って定期点検の都度、軸垂調整部材４０により直線性の再調整を行えば固定ドラムの長寿命化がはかれる。
【００２５】
以上のように、本実施例によれば、調整用軸受け３０と軸垂調整部材４０と弾性部材５０とから成る軸垂調整手段により、走行ポスト７６、７８の調整のみでは実現できなかった高精度の直線性を得ることが出来る。さらに、リード６２の磨耗による直線性の劣化も容易に調整することが出来る。
【００２６】
なお、図５に示すように、円周上に複数の切り起こしによる板ばね５２を設けて弾性部材５０とし、円周部を軸垂調整部材４０とした構成とすることもでき、上述の第１の実施例と同様の目的を果たすことが出来る。
【００２７】
次に、本発明の第２の実施例について、図面を参照しながら説明する。図６は、本実施例の回転ヘッドドラム装置の断面図、図７は、その上面図である。この第２の実施例は、第１の実施例に対して、弾性部材をコイルばねとして、軸垂調整手段を構成したものである。
【００２８】
図６、図７において、調整用軸受け３０の固定部３６の一端には、ばねかけ４２が設けられている。一方、軸垂調整部材４０には円周上に複数のばねかけ４４が設けられている。調整用軸受け３０の固定部３６は回転自在であるから、コイルばね５４の一端をばねかけ４２に取り付けて他端を側圧をかけたい方向のばねかけ４４に取り付けて軸垂調整部材４０を変位させることにより直線性の微調が可能となる。
【００２９】
以上のように、本実施例によれば、第１の実施例と同様に、調整用軸受け３０と軸垂調整部材４０と弾性部材としてのコイルばね５４から成る軸垂調整手段により、高精度の直線性を得ることが出来、さらに、リード６２の磨耗による直線性の劣化も容易に再調整することが出来る。
【００３０】
【発明の効果】
以上の説明から明らかなように、本発明の回転ヘッドドラム装置によれば、回転軸の一端を支える調整用軸受けと、調整用軸受けに側圧をかける軸垂調整部材と、調整用軸受けと軸垂調整部材との間に介在する弾性部材とからなる軸垂調整手段によって、回転軸の垂直度を任意の方向に微調することが出来、機械的精度のみでは達成出来なかった記録パターンの直線性精度を容易に実現出来る。また、軸垂調整手段は簡単な構成であり実用的価値が高い。
【００３１】
さらに、固定ドラムのリードの磨耗による直線性精度の劣化を補正することが出来、回転ヘッドドラム装置の長寿命化に有効である。
【図面の簡単な説明】
【図１】本発明の第１の実施例における回転ヘッドドラム装置の断面図
【図２】同実施例における回転ヘッドドラム装置の上面図
【図３】同実施例における回転ヘッドドラム装置のヘッドの構成を示す平面図
【図４】記録パターンの直線性をリアルタイムで表示するディスプレイの一例を示す特性図
【図５】本発明の他の実施例における回転ヘッドドラム装置の断面図
【図６】本発明の第２の実施例における回転ヘッドドラム装置の断面図
【図７】同実施例における回転ヘッドドラム装置の上面図
【符号の説明】
１０  ヘッド
２０  回転軸
２２  回転ドラム
２４  ディスク
３０  調整用軸受け
４０  軸垂調整部材
５０  弾性部材
５２  板ばね
５４  コイルばね
６０  固定ドラム
６２  リード
６４  軸受け
７０  上部固定ドラム
７２  連結ブロック
７６、７８  走行ポスト
８０  テープ
【図１】
0003603371.tif 000002
【図２】
0003603371.tif 000003
【図３】
0003603371.tif 000004
【図４】
0003603371.tif 000005
【図５】
0003603371.tif 000006
【図６】
0003603371.tif 000007
【図７】
0003603371.tif 000008